(57)【特許請求の範囲】
【請求項１】
第１方向における一方側に向き、画面を有する店員側表示器と、
前記店員側表示器の下方かつ前記一方側に設けられ、入力キー画像を含む画面を表示可能であって、画面に表示された画像から特定される情報のタッチ入力を受付可能に構成されたタッチパネルと、
前記第１方向における他方側に向く画面を有する客側表示器と、
を備え、
前記店員側表示器の画面はワイド型であり、
前記客側表示器の画面は縦型であり、
前記店員側表示器の縦方向の長さは前記客側表示器の縦方向の長さより小さく、
前記第１方向の前記一方側から見た右側部において、上端縁と、前記上端縁から手前側下方に傾斜する店員側フレームと、店員側フレームの下端から手前側に突出する下部フレームと、前記上端縁から奥側下方に傾斜する客側フレームと、を有し、前記一方側から見た左側部において、バーコードスキャナが載置可能に構成された上面部と、前記上面部の下に設けられたレシート発行口と、前記レシート発行口の下方に設けられ下方に凹むコイントレイを構成する凹部と、が上から順に形成された、カバーフレームを備える、ことを特徴とする商品販売データ処理装置。
【請求項２】
前記店員側表示器の前記一方側において、前記タッチパネルの側部に設けられ、数値データを置数するためのテンキーを備えることを特徴とする請求項１記載の商品販売データ処理装置。
【請求項３】
前記一方側から見て、前記店員側表示器の側部に配され、レシートを印刷するレシートプリンタと、
前記一方側から見て、前記店員側表示器の側部に配される接触式リーダと、
前記一方側から見て、前記タッチパネルの下方に隣接して配置される引き出し口から引き出し可能に設けられたドロワと、を備えることを特徴とする請求項１または２記載の商品販売データ処理装置。
【請求項４】
前記タッチパネルは、締めキー、支払いキー及び業務キーを含む入力キー画像を表示可能であるとともに、
スクロール機能を備え、
前記店員側表示器及び前記タッチパネルの画面表示を切替える制御部を備える、
ことを特徴とする請求項１乃至３のいずれかに記載の商品販売データ処理装置。
【発明の詳細な説明】
【技術分野】
【０００１】
本発明の実施形態は、ＰＯＳ（Point Of Sales）端末、電子式キャッシュレジスタ等の商品販売データ処理装置に関する。
【背景技術】
【０００２】
ＰＯＳシステムに代表される商品販売データ処理装置として、店員側表示器、客側に設けられる客側表示器、商品のバーコードを読み取るスキャナ、キーボード等の操作部、金銭を保管するドロワ、レシートプリンタ等を備えるものが知られている。店員側表示器の下部の手前側に形成される平面部分に、テンキーや業務キーなどのハードキーを備えるキーボード等の操作部が設けられる。
【先行技術文献】
【特許文献】
【０００３】
【特許文献１】特開２０１４−１６７７４２号公報
【発明の概要】
【発明が解決しようとする課題】
【０００４】
店員側表示器の下部の手前側に、ハードキーを備えるキーボード等の操作部を配置する構成では，スペースの制約があるため多くのキーを配置することが困難である。
【課題を解決するための手段】
【０００５】
一実施形態にかかる商品販売データ処理装置は、第１方向における一方側に向き、画面を有する店員側表示器と、前記店員側表示器の下方かつ前記一方側に設けられ、入力キー画像を含む画面を表示可能であって、画面に表示された画像から特定される情報のタッチ入力を受付可能に構成されたタッチパネルと、前記第１方向における他方側に向く画面を有する客側表示器と、を備え、前記店員側表示器の画面はワイド型であり、前記客側表示器の画面は縦型であり、前記店員側表示器の縦方向の長さは前記客側表示器の縦方向の長さより小さく、前記第１方向の前記一方側から見た右側部において、上端縁と、前記上端縁から手前側下方に傾斜する店員側フレームと、店員側フレームの下端から手前側に突出する下部フレームと、前記上端縁から奥側下方に傾斜する客側フレームと、を有し、前記一方側から見た左側部において、バーコードスキャナが載置可能に構成された上面部と、前記上面部の下に設けられたレシート発行口と、前記レシート発行口の下方に設けられ下方に凹むコイントレイを構成する凹部と、が上から順に形成された、カバーフレームを備える。
【図面の簡単な説明】
【０００６】
【図１】ＰＯＳ端末を一方側の右側から見た外観斜視図。
【図２】ＰＯＳ端末を他方側の右側から見た外観斜視図。
【図３】サブタッチパネルに表示される画面の一例を示す図。
【図４】ＰＯＳ端末の要部構成を示すブロック図。
【図５】商品登録プログラムにしたがって、ＣＰＵが実行する情報処理の主要な手順を示す流れ図。
【発明を実施するための形態】
【０００７】
以下、第１実施形態にかかる商品販売ユニット及び商品販売データ処理装置について図１乃至図５を参照して説明する。各図中矢印Ｘ，Ｙ，Ｚはそれぞれ互いに直交する３方向を示す。各図において説明のため、適宜構成を拡大、縮小または省略して示している。図中矢印ＸはＰＯＳ端末１０の幅方向、矢印Ｙは第１方向としてのＰＯＳ端末１０の奥行き方向、矢印Ｚは上下方向に沿っている。
【０００８】
図１はＰＯＳ端末１０を店員側から見た斜視図、図２は客側から見た斜視図である。
【０００９】
商品販売データ処理装置の一例としてのＰＯＳ（Ｐｏｉｎｔ  Ｏｆ  Ｓａｌｅｓ）端末１０は、キャッシャと称される店員が操作してチェックアウト業務を行う有人チェックアウト式の電子機器である。例えば店内において店員側と客側を仕切るように、チェックアウトカウンタが配置され、このチェックアウトカウンタ上にＰＯＳ端末１０が設けられる。
【００１０】
ＰＯＳ端末１０は、ドロワ１１と、店員側タッチパネル１２と、サブタッチパネル１３（タッチパネル）と、テンキーを有するテンキーボード１９と、バーコードスキャナ１４と、スリット１５ａに挿入されたカードを読み取る接触式リーダ／ライタ１５と、客側から操作可能な非接触式リーダ・ライタ１６と、レシートプリンタ１７と、客側タッチパネル１８と、カバーフレーム２０と、を備えている。
【００１１】
ＰＯＳ端末１０は、平面視において、所定サイズのドロワ１１に対応する矩形状を成す。例えばＰＯＳ端末１０の幅寸法Ｗ１は４００ｍｍ、奥行き寸法Ｙ１は６００ｍｍ程度に構成される。また、ＰＯＳ端末１０の高さは、チェックアウトカウンタ上に配置した状態で床面から１１００ｍｍとなる所定の高さに設定されている。例えば、チェックアウトカウンタのＺ方向に沿う高さが８００ｍｍであり、ＰＯＳ端末１０の設置面から上端縁２０ａまでの高さ寸法Ｈ１は３００ｍｍ程度に構成される。
【００１２】
ＰＯＳ端末１０は、店員側からみて右側の右側部１０ａと、店員側から見て左側の左側部１０ｂと、ドロワ１１を配する下部１０ｃと、を一体に備える。
【００１３】
カバーフレーム２０は、ＰＯＳ端末１０の外郭を構成する。右側部１０ａにおいて、カバーフレーム２０は、上端縁２０ａと、上端縁２０ａから手前側下方に傾斜して店員側タッチパネル１２の周りを囲む店員側フレーム２０ｂと店員側フレーム２０ｂの下端縁から手前側に延びサブタッチパネル１３及びテンキーボード１９を囲む下部フレーム２０ｃと、上端縁２０ａ奥側下方に傾斜して客側タッチパネル１８の周りを囲む客側フレームと２０ｄと、を有している。店員側フレーム２０ｂにはカード挿入用のスリット１５ａが形成されている。右側部１０ａは、側面視において下方の一部が手前側に突出した三角形状である。
【００１４】
なお、店員側タッチパネル１２の画面は客側タッチパネル１８の画面よりも設置面であるカウンタ面に対する傾斜角が大きく、縦方向において短く構成されている。すなわちＰＯＳ端末１０の頂部となる上端縁２０ａの位置はＹ方向においてＰＯＳ端末１０の中央よりも店員側に偏って配置されている。
【００１５】
左側部１０ｂにおいてカバーフレーム２０は、上端縁２０ａより低い水平面状に構成される上面部２０ｅと、上面部２０ｅから連続して手前側下方に傾斜する傾斜面部２０ｆと、傾斜面部２０ｆの手前側において底部が下方に凹む凹部２０ｇと、を上から順に備える段差形状になっている。
【００１６】
上面部２０ｅはバーコードスキャナ１４を載置する凹部を形成し、スキャナ設置部１４ａを構成する。上面部２０ｅと店員側フレーム２０ｂ及び客側フレーム２０ｄの間には側壁が形成される。上面部２０ｅ及び傾斜面部２０ｆの内側に形成される空間に、ロール状のレシート用紙が設置され、レシートプリンタ１７が内蔵される。レシートプリンタ１７は、レシートを印刷してレシート発行口１７ａから排出する。上面部２０ｅと傾斜面部２０ｆの間にはレシートを排出するスリット状のレシート発行口１７ａが形成される。レシート発行口１７ａは、チェックアウト業務の完了時にレシートプリンタ１７でプリントされるレシートの発行口である。
【００１７】
上面部２０ｅは、上方に持ち上がり、カバーフレーム２０を開閉することが可能に構成されている。上面部２０ｅを持ち上げて開くことで、カバーフレーム２０の内部にアクセス可能であり、レシートプリンタ１７のメンテナンス作業や、ロール状のレシート用紙の補充作業が可能になっている。
【００１８】
凹部２０ｇは、預り金等の硬貨を一時的に置くためのコイントレイとして機能する。また、凹部２０ｇの凹みによって、上方のレシート発行口１７ａから発行されるレシートを受けることが可能に構成されている。
【００１９】
左側部１０ｂの店員側には、カバーフレーム２０によって、スキャナ設置部１４ａ、レシート発行口１７ａ、コイントレイとなる凹部２０ｇが、上から順に並列に配される。左側部１０ｂの客側の外面は、上面部２０ｅの奥側の端縁から下方に傾斜して客側フレーム２０ｄと面一になっている。
【００２０】
下部１０ｃの外面はドロワ１１及びカバーフレーム２０によって構成される。下部１０ｃにおいてカバーフレーム２０は、ドロワ１１を収容する矩形の枠を形成するとともに、正面にドロワ１１を引き出すための引き出し口２１を備える。
【００２１】
ドロワ１１は、金銭が収納される上面開口の箱である。ドロワ１１は、装置下部に引き出し可能に設けられる。ドロワ１１には、各種の紙幣や硬貨が整理して収納される。ドロワ１１は引き出し口２１から出没するように構成され、閉状態ではＰＯＳ端末１０内に収納され、開状態では店員側に突出する。開状態において店員が金銭の出し入れ作業を行う。
【００２２】
店員側表示器である店員側タッチパネル１２は、右側部１０ａの手前側において、斜め上方を向き、例えば１２インチ型のワイドタイプの画面を備える。店員側タッチパネル１２は、店員に対して様々な画面を表示する店員側表示デバイスとして機能する。また店員側タッチパネル１２は、画面に表示された画像から特定される情報のタッチ入力を受け付ける入力デバイスとしても機能する。店員側タッチパネル１２には、商品登録画面や各種業務画面などの複数種類の画面が、処理の段階に応じて切替えて表示される。
【００２３】
例えば登録画面には、商品販売に関する情報として、メッセージ情報、操作案内情報、商品販売情報（商品名、単価、個数、合計金額，預かり金額、釣り銭額）、タッチパネルの入力キー画像等の複数の情報が、処理段階に応じて切り替えて表示される。
【００２４】
業務画面としては、例えば宅配便受付などの処理の手順や処理案内のメッセージなどが表示される。
【００２５】
サブタッチパネル１３は、右側部１０ａの下方で手前側に突出した部分の上面であって右側の領域に、上向きに配置される。サブタッチパネル１３は、例えば５インチ型のワイド型のサブ画面８０を有している。サブタッチパネル１３は、店員に対して様々な画面を表示する店員側表示デバイスとして機能する。またサブタッチパネル１３は、画面に表示された画像から特定される情報のタッチ入力を受け付ける入力デバイスとしても機能する。
【００２６】
サブタッチパネル１３には、処理の段階に応じて複数種類の画面が切替えて表示される。また、サブタッチパネル１３はスクロール機能を有している。すなわちサブタッチパネル１３の画面上におけるフリップ操作やドラッグ操作を含む各種のタッチ操作によって、画面をスライドさせて切替えるスクロール表示が可能である。したがって、例えば縦方向において、サブ画面８０の画面の大きさよりも大きい領域に相当する多数のソフトキーを設定し、表示切り替えによって選択的に表示することが可能である。
【００２７】
図３に示すように、サブタッチパネル１３の画面には、テンキー以外の、締めキー、支払いキー、及び業務キーを含む各種のソフトキー画像等の複数の情報が、処理段階に応じて切替えて表示される。例えば言語キー、クリアキー、現計キー、クレジットキー、電子マネーキー、公共料金等の入力キーが表示される。この他、入力操作やＰＯＳ端末１０の状況、各種処理段階に応じて、異常時における報知メッセージや各種処理のガイダンスメッセージ等の情報も表示される。
【００２８】
なお、現計キーは、現金による商取引の決済を宣言するキーである。クレジットキーは、クレジットカードによる商取引の決済を宣言するキーである。電子マネーキーは、電子マネーによる商取引の決済を宣言するキーである。これらの現計キー、クレジットキー、電子マネーキー及び客層キーは、一般に、締めキーと称される。言語キーは、店員側タッチパネル１２やサブタッチパネル１３に表示される案内メッセージ等の言語を切替えるキーである。
【００２９】
テンキーボード１９には、数値データを置数するためテンキーのハードキーが複数縦横に並列に設けられる。
【００３０】
客側表示器である客側タッチパネル１８は、第１方向における他方側において斜め上方を向き、下部１０ｃの直上から上端縁２０ａに至って縦方向全域に渡って設けられる。客側タッチパネル１８は、横寸法よりも縦寸法が長いいわゆる縦型のタッチパネルであり、例えば１５インチ型とする。客側タッチパネル１８は、買上商品の代金を支払う客に対して様々な画面を表示する客側表示デバイス（客側表示器）として機能する。例えば販売登録された商品の商品名、単価及び数量が表示される。また、買上点数、合計金額、預り金額も表示される。また、客側タッチパネル１８の画面には商品プロモーション用のメッセージや画像も表示される。客側タッチパネル１８は、画面に表示された画像から特定される情報のタッチ入力を受け付ける入力デバイスとしても機能する。
【００３１】
スキャナ１４は商品に付されたバーコード等を光学的に読み取るハンド式のバーコードスキャナである。スキャナ１４は、左側部１０ｂの上面部２０ｅ上に構成された設置部１４ａに載置される。なお、図１，２においてはスキャナ１４のケーブルを省略して示している。
【００３２】
接触式リーダ・ライタ１５は、スリット１５ａに挿入されたカードからデータを読み込んだり、このカードにデータを書込んだりする。スリット１５ａはドロワ１１上であって店員側タッチパネル１２の画面の右側に、縦方向に沿って形成されている。カードが磁気カードである場合、リーダ・ライタ１５は、磁気カードリーダ・ライタである。例えばクレジットカードやポイントカードが、接触式リーダ・ライタ１５によってデータの読み書きが行われるカードとして使用される。
【００３３】
非接触式リーダ・ライタ１６は、電子マネー等のカード決済を行う場合に客が所有する無線通信媒体としての非接触式のＩＣカードを翳すところであり、情報伝送用のアンテナを備えている。非接触式リーダ・ライタ１６は、アンテナに翳された非接触ＩＣカードからデータを読み込んだり、この非接触ＩＣカードにデータを書込んだりする。例えば電子マネーカードが、非接触式リーダ・ライタ１６によってデータの読み書きが行われる非接触ＩＣカードとして使用される。
【００３４】
図４は、ＰＯＳ端末１０の要部構成を示すブロック図である。ＰＯＳ端末１０は、ＣＰＵ（Central Processing Unit）３１、ＲＯＭ（Read Only Memory）３２、ＲＡＭ（Random Access Memory）３３、補助記憶デバイス３４、時計部３５、通信コントローラ３６、ドロワインターフェース３７及びスキャナインターフェース３８を備える。またＰＯＳ端末１０は、ＣＰＵ３１、ＲＯＭ３２、ＲＡＭ３３、補助記憶デバイス３４、時計部３５、通信コントローラ３６、ドロワインターフェース３７及びスキャナインターフェース３８を、システム伝送路３９で接続する。システム伝送路３９は、アドレスバス、データバス、制御信号線等を含む。そしてシステム伝送路３９に対し、店員側タッチパネル１２、サブタッチパネル１３，客側タッチパネル１８、プリンタ１７、接触式リーダ・ライタ１５、非接触式リーダ・ライタ１６、及びテンキーボード１９が、図示しない入出力回路を介して接続される。
【００３５】
ＰＯＳ端末１０は、ＣＰＵ３１、ＲＯＭ３２、ＲＡＭ３３、補助記憶デバイス３４と、これらを接続するシステム伝送路３９とによってコンピュータを構成する。
【００３６】
ＣＰＵ３１は、上記コンピュータの中枢部分に相当する。ＣＰＵ３１は、オペレーティングシステムやアプリケーションプログラムに従って、ＰＯＳ端末１０としての各種の機能を実現するべく各部を制御する。
【００３７】
ＲＯＭ３２は、上記コンピュータの主記憶部分に相当する。ＲＯＭ３２は、上記のオペレーティングシステムやアプリケーションプログラムを記憶する。ＲＯＭ３２は、ＣＰＵ３１が各部を制御するための処理を実行する上で必要なデータを記憶する場合もある。
【００３８】
ＲＡＭ３３は、上記コンピュータの主記憶部分に相当する。ＲＡＭ３３は、ＣＰＵ３１が処理を実行する上で必要なデータを記憶する。またＲＡＭ３３は、ＣＰＵ３１によって情報が適宜書き換えられるワークエリアとしても利用される。
【００３９】
補助記憶デバイス３４は、上記コンピュータの補助記憶部分に相当する。補助記憶デバイス３４は、例えばＥＥＰＲＯＭ（Electric Erasable Programmable Read-Only Memory）、ＨＤＤ（Hard Disc Drive）、あるいはＳＳＤ（Solid State Drive）などである。補助記憶デバイス３４は、ＣＰＵ３１が各種の処理を行う上で使用するデータや、ＣＰＵ３１での処理によって生成されたデータを保存する。補助記憶デバイス３４は、上記のアプリケーションプログラムを記憶する場合もある。
【００４０】
時計部３５は、現在の日付及び時刻を計時する。  
通信コントローラ３６は、外部コンピュータとの間で、ＬＡＮ（Local Area Network）等の通信ネットワークを介して行うデータの送受信を制御する。外部コンピュータは、ＰＯＳ端末１０の上位コンピュータであり、例えばＰＯＳサーバ、ストアサーバ等と称される。外部コンピュータは、商品マスタファイル、売上集計ファイル等の種々のデータファイルを管理する。商品マスタファイルは、店舗で販売される各商品の商品コード、商品名、単価、税種等の商品データを保存する。売上集計ファイルは、商品別、客層別等の分類項目別に集計された売上点数データ、売上金額データ等を保存する。
【００４１】
ドロワインターフェース３７は、現金等を収納するためのドロワ１１を電気的に接続する。ドロワインターフェース３７は、ドロワに対して開放指令信号を送信する。開放指令信号を受信したドロワは、開放動作する。なお、ドロワの代わりに自動釣銭機を接続してもよい。自動釣銭機を接続した場合、ドロワインターフェース３７は、自動釣銭機に対して釣銭データを送信する。釣銭データを受信した自動釣銭機は、釣銭データに基づいて釣銭となる貨幣を払い出す。
【００４２】
スキャナインターフェース３８は、スキャナ１４を電気的に接続する。スキャナ１４によって読み取られたバーコードは、スキャナインターフェース３８を介してＣＰＵ３１に取り込まれる。ＣＰＵ３１は、バーコードを解読して、例えば商品コード等のデータに変換する。
【００４３】
以下、本実施形態に係るＰＯＳ端末１０による商品販売の流れを説明する。
【００４４】
商品販売時には、例えば店員側から見てＰＯＳ端末１０の左側のカウンタ面に客が商品の入った商品籠を載置する。店員は商品籠から商品を手に取って商品に付されたバーコードにバーコードスキャナ１４を翳し、商品情報を読取る。また、バーコードのない商品の登録や宅配便受付などの特定の処理について店員側タッチパネル１２の入力キーを入力することで商品登録を行う。全ての商品の読取が終了すると、店員はサブタッチパネル１３の画面に表示される締めキーを操作して決済処理を行う。
【００４５】
図５は、商品登録プログラムにしたがって、ＣＰＵ３１が実行する情報処理の主要な手順を示す流れ図である。なお、以下に説明する処理の内容は一例であって、同様な結果を得ることが可能な様々な処理を適宜に利用できる。
【００４６】
商品登録プログラムが起動すると、ＣＰＵ３１は、Act１として店員側タッチパネル１２に商品登録画面を表示させるとともに、サブタッチパネル１３に各種入力キーを含む画面を表示させる。
【００４７】
サブタッチパネル１３の画面には複数の入力キーが縦横に複数列並列に表示される。例えば、サブ画面８０には、テンキー以外の、言語キー、クリアキー、現計キー、クレジットキー、電子マネーキー、公共料金等の、締めキー、支払いキー、及び業務キーを含む各種のソフトキー画像等の複数の情報が、処理に応じて切替えて表示される。また、サブ画面８０には、ＰＯＳ端末１０の異常時における報知メッセージや各種処理のガイダンスメッセージ等の情報も表示される。なお、ＣＰＵ３１は、サブ画面８０の表示において、処理の段階に応じて操作不可能なキーを表示しないように制御する。
【００４８】
登録画面、及びサブ画面８０を表示させたＣＰＵ３１は、Act２として商品登録が行われたか否かを確認する（登録受付手段）。商品登録が行われていない場合（Act２にてＮＯ）、ＣＰＵ３１は、Act３としてサブタッチパネル１３において締めキーが操作入力されたか否かを確認する。締めキーが操作入力されていない場合（Act３にてＮＯ）、ＣＰＵ３１は、Act２の処理に戻り、再び商品登録が行われたか否かを確認する。ここにＣＰＵ３１は、商品登録が行われるか、締めキーが操作入力されるのを待機する。
【００４９】
また、ＣＰＵ３１は、店員側タッチパネル１２またはサブタッチパネル１３の入力による宅配便受付や、バーコードのない商品の登録、あるいは客側タッチパネル１８からの注文入力など、特別な手順が必要となるキー入力がされた場合には、入力に応じた表示に画面表示を切替える。また、ＣＰＵ３１は、サブタッチパネル１３におけるスクロール操作などのタッチ操作に応じて、サブ画面８０の表示内容を切替える。
【００５０】
Act２〜Act３の待機状態において、スキャナ１４によるバーコード入力あるいは店員側タッチパネル１２または客側タッチパネル１８の操作入力により商品登録が行われたことを検知すると（Act２にてＹＥＳ）、ＣＰＵ３１は、Act４として商品販売登録処理を実行する（処理手段）。
【００５１】
すなわちＣＰＵ３１は、登録された商品の商品コードから、商品名、単価等の商品データを取得する。そしてＣＰＵ３１は、単価に販売点数を乗じて販売金額を算出する。販売点数は、例えばテンキーボード１９のテンキーによって置数された場合にはその数値であり、置数されない場合には“１”である。ＣＰＵ３１は、商品コード、商品名、単価、販売点数、販売金額、税種を含む商品販売データを、ＲＡＭ３３のトランザクションメモリに格納する。そしてＣＰＵ３１は、店員側タッチパネル１２に、トランザクションメモリに格納された商品販売データの商品名、単価、販売点数（数量）、販売金額及び税種を表示させる。またＣＰＵ３１は、店員側タッチパネル１２に、同商品販売データの販売点数合計値（買上点数）及び販売金額合計値（合計）を表示させる。さらにＣＰＵ３１は、客側タッチパネル１８に、上記商品名、単価、販売点数（数量）、販売点数合計値（買上点数）、販売金額合計値（合計）を表示させる。
【００５２】
Act２〜Act３の待機状態において、締めキーが操作入力されたことを検知すると（Act３にてＹＥＳ）、ＣＰＵ３１は、Act５としてその締めキーの操作入力が有効であるか否かを確認する。例えば商品登録が行われることなく締めキーが操作入力された場合、締めキーの入力は無効である。締めキーの入力が無効の場合（Act５にてＮＯ）、ＣＰＵ３１は、Act２〜Act３の待機状態に戻る。
【００５３】
締めキーの入力が有効の場合には（Act５にてＹＥＳ）、ＣＰＵ３１は、Act６として締めキーに応じた取引締め処理を実行する。
【００５４】
例えばサブタッチパネル１３の現計キーが操作入力された場合、ＣＰＵ３１は、預り金の入力を待機する。そしてテンキーボード１９のテンキーにより預り金が入力されたならば、ＣＰＵ３１は釣銭額を算出し、この釣銭額を店員側タッチパネル１２と客側タッチパネル１８とに表示させる。またＣＰＵ３１は、合計点数、合計金額、預り金額、釣銭額などの現金締めデータをトランザクションメモリに格納する。
【００５５】
例えばクレジットキーが操作入力された場合、ＣＰＵ３１は、クレジットカードのデータが読み取られるのを待機する。接触式リーダ・ライタ１５によってクレジットカードのデータが読み取られた場合、ＣＰＵ３１は、通信コントローラ３６を介して外部コンピュータにカードデータを送信して、クレジットカードの認証を受ける。そしてクレジットカードが承認された場合、ＣＰＵ３１は、レシートプリンタ１７を駆動してクレジット伝票を印字させる。またＣＰＵ３１は、合計点数、合計金額、クレジットカードデータなどのクレジット締めデータをトランザクションメモリに格納する。
【００５６】
例えば電子マネーキーが操作入力された場合、ＣＰＵ３１は、電子マネーカードの残高データが読み取られるのを待機する。非接触式リーダ・ライタ１６によって残高データが読み取られた場合、ＣＰＵ３１は、その残高データから合計金額相当のデータを引き去る。そしてＣＰＵ３１は、合計金額相当のデータを引き去った後の残高データを、非接触式リーダ・ライタ１６によって電子マネーカードに書き込む。またＣＰＵ３１は、合計点数、合計金額、電子マネーカードデータなどの電子マネー締めデータをトランザクションメモリに格納する。
【００５７】
取引締め処理が終了すると、ＣＰＵ３１は、Act７としてトランザクションメモリに格納されたデータを基にレシートの印字データを作成する。ＣＰＵ３１は、レシートプリンタ１７に印字データを出力して、レシート発行口１７ａからレシートを発行させる。
【００５８】
レシートを発行した後、ＣＰＵ３１は、Act１の処理に戻る。すなわちＣＰＵ３１は、店員側タッチパネル１２に登録画面を表示させる。
【００５９】
このように構成されたＰＯＳ端末１０は、入力ボタンを有するサブタッチパネル１３を備え、一般にハードキーとして設けられていた業務キーや締めキーを含む入力ボタンをソフトキーとしてサブタッチパネル１３に表示する構成とした。このため、タッチ入力に応じて段階的に表示を切替えることが可能である。したがって、小さい領域で、より大きな領域に相当する多数の入力キーの機能を持たせることができる。また、スクロール機能を設けたことで操作性を向上できる。さらに、ソフトキーにしたことで、キーの追加設定や削除も容易である。
【００６０】
また、ハードキーを減らし、テンキーを店員側タッチパネル１２の手前に配置することで、店員側の操作エリアが縮小し、ハンドリングの向上が図れる。すなわち、店員側タッチパネル１２と、サブタッチパネル１３とテンキーボード１９の操作部位が近いため、操作性が向上できる。
【００６１】
ＰＯＳ端末１０において、設置面に対して店員側タッチパネル１２の角度が客側タッチパネル１８の角度より大きい側面視三角形状であり、店員側タッチパネル１２の手前の平面状の領域にテンキーボード１９およびサブタッチパネル１３が配置される。このため、横幅寸法や高さを維持したまま客側のエリアを拡大することができる。したがって、店員と客との対面性を損なうことなく、客側の画面を大型化し、商品のプロモーションを促すことが可能となる。また、店員側のエリアが縮小することで、年齢層キーの操作や不具合のアラートなど、客に見せたくない処理や操作を客から視認し難くすることができる。さらに、店員側から客側の画面表示を確認することが容易となる。
【００６２】
また、店員側タッチパネル１２よりも小さく表示内容がシンプルであるサブタッチパネル１３を設け、特定の入力キーを限られたシンプルな表示に含めることで、特定のキーを容易に探し出すことができる。例えば、サブタッチパネル１３に言語キーを備えることにより、様々な国の店員が言語キーを容易に確認できる。したがって、最初に言語キーの操作をすることで、その後の操作が容易となる。
【００６３】
また、状況に応じて使用不可能なキーを除いて表示することができるため、無駄な操作や誤操作が減り、操作性が向上する。
【００６４】
なお、本発明は上記実施形態に限られるものではない。例えば、接触式リーダ／ライタ１５、非接触式リーダ・ライタ１６に代えて、書き込み機能のみを備える接触式リーダ、非接触式リーダを備える構成とすることも可能である。
【００６５】
また、前記実施形態は、商品販売データ処理装置の一態様としてＰＯＳ端末を例示したが、商品販売データ処理装置はＰＯＳ端末１０に限定されるものではない。商品販売データの処理機能を有したコンピュータ装置であればよい。
【００６６】
商品販売データ処理装置の譲渡は一般に、制御プログラム等がＲＯＭに記憶された状態にて行われる。しかしこれに限らず、コンピュータ装置が備える書き込み可能な記憶デバイスに、このコンピュータ装置とは個別に譲渡された制御プログラム等がユーザなどの操作に応じて書き込まれてもよい。制御プログラム等の譲渡は、リムーバブルな記録媒体に記録して、あるいはネットワークを介した通信により行うことができる。記録媒体は、ＣＤ−ＲＯＭ，メモリカード等のようにプログラムを記憶でき、かつ装置が読み取り可能であれば、その形態は問わない。また、プログラムのインストールやダウンロードにより得る機能は、装置内部のＯＳ（オペレーティング・システム）等と協働してその機能を実現させるものであってもよい。
【００６７】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に、本願出願の当初の特許請求の範囲に記載された発明を付記する。
（１）
第１方向における一方側に向き、画面を有する店員側表示器と、
前記店員側表示器の下方かつ前記一方側に設けられ、入力キー画像を含む画面を表示可能であって、画面に表示された画像から特定される情報のタッチ入力を受付可能に構成されたタッチパネルと、
前記第１方向における他方側に向く画面を有する客側表示器と、
を備える商品販売データ処理装置。
（２）
前記店員側表示器の前記一方側において、前記タッチパネルの側部に設けられ、数値データを置数するためのテンキーを備えることを特徴とする（１）記載の商品販売データ処理装置。
（３）
前記一方側から見て、前記店員側表示器の側部に配され、レシートを印刷するレシートプリンタと、
前記一方側から見て、前記店員側表示器の側部に配される接触式リーダと、
前記一方側から見て、前記タッチパネルの下方に隣接して配置される引き出し口から引き出し可能に設けられたドロワと、を備えることを特徴とする（１）または（２）記載の商品販売データ処理装置。
（４）
前記タッチパネルは、締めキー、支払いキー及び業務キーを含む入力キー画像を表示可能であるとともに、
スクロール機能を備え、
前記店員側表示器及び前記タッチパネルの画面表示を切替える制御部を備える、
ことを特徴とする（１）乃至（３）のいずれかに記載の商品販売データ処理装置。
（５）
前記店員側表示器の画面はワイド型であり、
前記客側表示器の画面は縦型であり、
前記店員側表示器の縦方向の長さは前記客側表示器の縦方向の長さより小さく、
前記第１方向の前記一方側から見た右側部において、上端縁と、前記上端縁から手前側下方に傾斜する店員側フレームと、店員側フレームの下端から手前側に突出する下部フレームと、前記上端縁から奥側下方に傾斜する客側フレームと、を有し、前記一方側から見た左側部において、バーコードスキャナが載置可能に構成された上面部と、前記上面部の下に設けられたレシート発行口と、前記レシート発行口の下方に設けられ下方に凹むコイントレイを構成する凹部と、が上から順に形成された、カバーフレームを備える、ことを特徴とする（１）乃至（４）のいずれかに記載の商品販売データ処理装置。
【符号の説明】
【００６８】
１０…ＰＯＳ端末、１１…ドロワ、１２…店員側タッチパネル（店員側表示器）、１３…サブタッチパネル（サブ表示器）、１４ａ…スキャナ設置部、１５…接触式リーダ・ライタ、１５ａ…スリット、１６…非接触式リーダ・ライタ、１７…レシートプリンタ、１７ａ…レシート発行口、１３…客側タッチパネル（客側表示器）、１９…テンキーボード。
【図１】
0006266499.tif 000002
【図２】
0006266499.tif 000003
【図３】
0006266499.tif 000004
【図４】
0006266499.tif 000005
【図５】
0006266499.tif 000006